(57)【要約】【課題】本発明はガス、石油等を燃料とするバーナを加熱源とする調理器に用いられる五徳、およびそれを用いた調理器に関するもので、鍋の安定載置、燃焼性、熱効率、手入れ性、美観に優れた調理器を提供することを課題とする。【解決手段】バーナ４の中心から、外方に突出させ下方に曲げた外曲部３５と、内方に突出させ下方に曲げた内曲部３６と、外曲部３５と内曲部３６の連結部とを構成し、下側の連結部３７の下部近傍３８を枠体３で支持したことにより、燃焼性、熱効率、手入れ性、鍋の安定性に優れた五徳３１が得られる。【選択図】  図４
2004183996.tif 000002
【特許請求の範囲】
【請求項１】
中央のバーナに対し、外方に突出させかつ下方に曲げて構成した複数の外曲部と、複数の内方に突出させた端部と、外曲部と内方に突出させた端部を連結する複数の連結部とを線材で構成した線材構成体を備え、外曲部の下部近傍を枠体で支持した五徳。
【請求項２】
中央のバーナに対し、複数の外方に突出させた端部と、内方に突出させかつ下方に曲げて構成した複数の内曲部と、外方に突出させた端部と内曲部を連結する複数の連結部とを線材で構成した線材構成体を備え、内曲部の下部近傍を枠体で支持した五徳。
【請求項３】
中央のバーナに対し、外方に突出させかつ下方に曲げて構成した外曲部と、内方に突出させかつ下方に曲げて構成した内曲部と、外曲部と内曲部を連結する上下の連結部とで閉ループを構成した複数の線材構成体を備え、下側の連結部の下部近傍を枠体で支持した五徳。
【請求項４】
連結部は、バーナの中央を基点として放射状に伸びる延長線に沿って線材を伸長させた請求項１〜３のいずれか１項に記載の五徳。
【請求項５】
天板の開口部の下方に、複数の炎口を内方に向かって配設したバーナを設け、天板の開口部あるいはその近傍に、請求項１〜４のいずれか１項に記載の五徳を設置した調理器。
【請求項６】
天板の開口部に、外方に向かって複数の炎口を配設したバーナを備え、天板の開口部あるいはその近傍に、請求項１〜４のいずれか１項に記載の五徳を設置した調理器。
【発明の詳細な説明】
【０００１】
【発明の属する技術分野】
本発明は、ガス、石油等を燃料とするバーナを加熱源とする調理器に用いられる五徳、およびそれを用いた調理器に関するものである。
【０００２】
【従来の技術】
従来、調理器の五徳は、複数の金属板で爪を構成するものや、軟鋼線等の線材を加工して構成するものがあり（例えば特許文献１参照）、この五徳は、図１１、図１２に示されているように、軟鋼線の芯材８１とアルミニウムまたはアルミニウム合金の外材８２からなる１本の線材８３を、所定の箇所で曲げて円弧状部８４、立上り部８５、略Ｕ字状の爪部８６を連続的に形成し、最後に突合わせ部８７を溶接により接続した構成であり、線材が交差した状態の溶接部がなく手入れが容易で、美観も向上するとしている。
【０００３】
【特許文献１】
特開平５−６０３３０号公報
【０００４】
【発明が解決しようとする課題】
しかしながら上記従来の五徳の場合、五徳全体としての強度を確保するためには、線材８３の直径をある程度大きなものとする必要がある。そこで、火炎が線材８３に接触した時のＣＯの発生を抑えるためには、線材８３の直径をある程度以下、例えば６〜７ｍｍに抑える必要があり、そのため実際の強度を支える芯材８１の直径はさらに小さな４ｍｍ前後となり、五徳全体の強度は一定以上確保できなかった。したがって、比較的大きな鍋あるいは重い鍋等の被加熱物の荷重が爪部８６にかかった場合、長時間の加熱状態による軟化作用が重なって、五徳全体にたわみが生じたりする可能性があった。また、一方で線材８３の直径を大きくして五徳全体の強度を確保した場合、従来の構成では円弧状部８４などがあって火炎と線材８３との接触部分が多くなるため、ＣＯの発生を抑えるには燃焼ガスが通過する排気面積を大きく取る必要があり、その結果立上がり部８５の高さが高くなり、五徳を洗浄する際によく使用されるスポンジタワシの移動がスムーズに行えず、必ずしも手入れが容易ではなかった。さらに、外材８２はアルミニウムを基材としているため、塩分の多い煮汁などが付着した状態で、火炎により加熱されると、耐食性が低下して特に爪部８６の線材８３の直径が細くなり、さらに強度が低下するという課題もあった。
【０００５】
本発明は、上記従来の課題を解決するもので、鍋等の被加熱物を載置する時の強度と安定性を確保して、燃焼状態を良好に保って高い熱効率を確保し、さらに手入れ性と美観に優れた五徳を搭載した調理器を提供することを目的とする。
【０００６】
【課題を解決するための手段】
本発明は上記の目的を達成するために、中央のバーナに対し、外方に突出させかつ下方に曲げて構成した複数の外曲部と、複数の内方に突出させた端部と、外曲部と内方に突出させた端部を連結する複数の連結部とを線材で構成した線材構成体を備え、外曲部の下部近傍を枠体で支持したものである。
【０００７】
上記の発明によれば、線材で複数の外曲部を形成し、外曲部の下部近傍を枠体で支持したことにより、比較的大きな重い鍋等の被加熱物が載置された場合でも、線材構成体と枠体の両方で荷重を支えることができるため、五徳全体の変形を防止することができる。また、載置される鍋と枠体との間に必然的に排気通路が構成され、線材構成体と燃焼ガスの流れ方向が交差する部分を極小にできるため、燃焼ガスがスムーズに排出され、良好な燃焼状態を維持して高い熱効率を確保することができる。また、小径の鍋や底の丸い鍋等が載置された場合は、鍋は内方に突出させた端部に必ず接触することになり、同様に安定的に載置できる。さらに、五徳を洗浄する際には、外曲部から内方に突出させた端部に向かって一方向にスポンジタワシを移動させればよく、同時に線材で構成したことにより、スムーズに洗浄が行え、かつ従来の金属板で構成された五徳に比べ斬新性を確保することができる。
【０００８】
従って、多様な鍋などを安定的に載置でき、燃焼状態を良好に保って高い熱効率を確保し、かつ美観に優れた調理器を提供することができる。
【０００９】
【発明の実施の形態】
請求項１に記載の発明は、中央のバーナに対し、外方に突出させかつ下方に曲げて構成した複数の外曲部と、複数の内方に突出させた端部と、外曲部と内方に突出させた端部を連結する複数の連結部とを線材で構成した線材構成体を備え、外曲部の下部近傍を枠体で支持したことにより、比較的大きな重い鍋等の被加熱物が載置された場合でも、線材構成体と枠体の両方で荷重を支えることができるため、五徳全体の変形を防止することができる。また、載置される鍋と枠体との間に必然的に排気通路が構成され、線材構成体と燃焼ガスの流れ方向が交差する部分を極小にできるため、燃焼ガスがスムーズに排出され、良好な燃焼状態を維持して高い熱効率を確保することができる。また、小径の鍋や底の丸い鍋等が載置された場合は、鍋は内方に突出させた端部に必ず接触することになり、同様に安定的に載置できる。さらに、五徳を洗浄する際には、外曲部から内方に突出させた端部に向かって一方向にスポンジタワシを移動させればよく、同時に線材で構成することにより、比較的スムーズに洗浄が行え、かつ従来の金属板で構成された五徳に比べ斬新性を確保することができる。
【００１０】
請求項２に記載の発明は、中央のバーナに対し、複数の外方に突出させた端部と、内方に突出させかつ下方に曲げて構成した複数の内曲部と、外方に突出させた端部と内曲部を連結する複数の連結部とを線材で構成した線材構成体を備え、内曲部の下部近傍を枠体で支持したことにより、同様に多様な鍋を安定的に載置する五徳が得られるが、特に、長年の使用で底が丸くなった重い鍋や大きな鍋が載置された場合でも、前述の鍋は内曲部に必ず接触することになるため、荷重の大半は、最も強固な構成である内曲部と枠体にかかることになり、五徳全体の変形を防止することができる。さらに、五徳を洗浄する際には、内曲部から外方に突出させた端部に向かって一方向にスポンジタワシを移動させればよく、同時に線材で構成することにより、比較的スムーズに洗浄が行える。
【００１１】
請求項３に記載の発明は、中央のバーナに対し、外方に突出させかつ下方に曲げて構成した外曲部と、内方に突出させかつ下方に曲げて構成した内曲部と、外曲部と内曲部を連結する上下の連結部とで閉ループを構成した複数の線材構成体を備え、下側の連結部の下部近傍を枠体で支持したことにより、多様な形状の鍋が載置されても、その荷重は外曲部、連結部、内曲部による閉ループ全体に分散され、同時に枠体でも支えることができるため、長期間五徳全体の変形を防止することができる。さらに、線材構成体が閉ループを構成していることで、線材の端面が露出していないため、スポンジタワシの往復運動によって洗浄を行っても破損しにくく、洗浄がし易い。
【００１２】
請求項４に記載の発明は、連結部を、バーナの中央を基点として放射状に伸びる延長線に沿って線材を伸長させた構成としたことにより、燃焼ガスの放射状の流れを阻害することがなく、良好な燃焼状態と均一な加熱分布を確保することができる。
【００１３】
請求項５に記載の発明は、天板の開口部の下方に、複数の炎口を内方に向かって配設したバーナを設け、天板の開口部あるいはその近傍に、請求項１〜４のいずれか１項に記載の五徳を設置して調理器を構成したことにより、バーナは、燃焼完結のための燃焼空間を天板の開口部の下方で確保でき、火炎は完全燃焼しながら中央に集中して上昇し、鍋底に接触したのち放射状に拡散するので、五徳の載置部と天板との距離を接近させることができる。従って、線材構成体と被加熱物との間の排気通路を少なくできるため、凹凸の少ないフラットな調理器を実現できる。
【００１４】
請求項６に記載の発明は、天板の開口部に、外方に向かって複数の炎口を配設したバーナを備え、天板の開口部あるいはその近傍に、請求項１〜４のいずれか１項に記載の五徳を設置して調理器を構成したことにより、連結部がバーナの燃焼ガスの流れを阻害することを少なくできる。特に、バーナの小炎口部あるいは無炎口部に対応する位置に、連結部を配設することにより、燃焼ガスの流れはほとんど阻害を受けることがなく、五徳の線材部が加熱されて五徳に熱が奪われることを極小にでき、その結果鍋への伝熱量を確保して高い熱効率を維持するとともに五徳の耐久性を維持することができる。
【００１５】
【実施例】
以下、本発明の実施例について図面を用いて説明する。
【００１６】
（実施例１）
本発明の実施例１について図１、図２を参照して説明する。図１は、本実施例の五徳の上面図、図２は、同五徳のＡ−Ａ断面図である。
【００１７】
図において、五徳１は、線径５〜６ｍｍ程度の６本の軟鋼線材を曲げ加工して構成した６本の線材構成体２に、それを下方から支持するフランジ状の枠体３を溶接した構成である。各線材構成体２は、バーナ４を中心として外方に突出させかつ下方に曲げて略横Ｕ字状に構成した外曲部５と、内方に突出させた端部６と、外曲部５と内方に突出させた端部６を連結する連結部７とで構成され、外曲部５の下部近傍８を枠体３の上面部に溶接したことにより、内方に突出させた端部６、連結部７および外曲部５の上部は側方から見て略平面を形成しており、ここで被加熱物として鍋９を載置する部分を構成している。また６本の線材構成体２の位置関係は、五徳１を上面から見た場合、バーナ４の中心を基点として、円周をほぼ均一に６分割するように放射状に伸びる延長線１０に沿って配置している。一方、本実施例では、外曲部５は略横Ｕ字状に構成したが、略横Ｖ字状、略コの字状であっても基本的に差し支えなく、さらに線材は、軸方向の断面形状が円形のものを用いたが、断面形状が楕円または方形であっても差し支えない。
【００１８】
次に、動作、作用について説明すると、鍋９を五徳１に載置する場合、鍋９は線材構成体２の内方に突出した端部６、連結部７および外曲部５の上部に載置されることになり、線材構成体２と鍋９との間には、外曲部５の上下方向の曲げ寸法に相当する排気通路１１が構成される。この時、燃焼ガスは上昇気流となって鍋９の底面に接触しながら放射状に外気中に排出されるが、連結部７がバーナ４の中心を基点としてその円周を６分割するように放射状に伸びる延長線１０に沿って伸長し、外曲部５を下方に曲げて構成しているため、燃焼ガスの流れを阻害することが少なく、排気通路１１から鍋９の底面から側面を加熱しながら周囲へスムーズに排出されるので、良好な燃焼状態を維持できる。したがって、燃焼ガスの熱が効率良く鍋９に伝達され、結果として熱効率を向上することができる。この時、鍋９が比較的大きな鍋や重い鍋であっても、外曲部５と枠体３の両方で荷重を支えることができるため、五徳１全体の変形を防止することができる。また、小径の鍋や底の丸い鍋等が載置された場合は、鍋は内方に突出した端部６に必ず接触することになり、同様に安定的に載置できる。さらに、五徳１を洗浄する際には、外曲部５から内方に突出させた端部６に向かって一方向にスポンジタワシを移動させればよく、同時に線材で構成したことにより、スムーズに洗浄が行える。
【００１９】
したがって、多様な鍋などを安定的に載置でき、燃焼状態を良好に保って高い熱効率を確保し、かつ美観に優れた洗浄性の良好な五徳１が実現できる。
【００２０】
（実施例２）
本発明の実施例２について、図３、図４を参照して説明する。図３は、本実施例の五徳の上面図、図４は、同五徳のＢ−Ｂ断面図である。
【００２１】
図において、五徳２１は実施例１と同様に、線径５〜６ｍｍ程度の６本の軟鋼線材を曲げ加工した６本の線材構成体２２に、下方から支持する枠体３を溶接した構成である。各線材構成体２２は、バーナ４の中心を基点として外方に突出させた端部２５と、内方に突出させ、かつ下方に曲げて略横Ｕ字状に構成した内曲部２６と、外方に突出させた端部２５と内曲部２６を連結する連結部２７とで構成され、内曲部２６の下部近傍２８を枠体３の上面部に溶接したことにより、外方に突出させた端部２５、連結部２７および内曲部２６の上部は側方から見て略平面を形成しており、ここで鍋９を載置する部分を構成している。また６本の線材構成体２２の位置関係は、実施例１と同様に五徳２１を上面から見た場合、バーナ４の中心を基点として、円周をほぼ均一に６分割するように放射状に伸びる延長線１０に沿って配置している。
【００２２】
なお、実施例１と同一符号のものは同一構造を有し、説明は省略する。
【００２３】
次に、動作、作用について説明すると、実施例１と同様に鍋９を五徳２１に載置する場合、鍋９は線材構成体２２の内曲部２６の上部、連結部２７および外方に突出させた端部２５に載置されることになり、線材構成体２２と鍋９との間には、内曲部２６の上下方向の曲げ寸法に相当する排気通路２９が構成される。したがって、実施例１と同様に、燃焼ガスの熱が効率良く鍋９に伝達され、結果として熱効率を向上することができる。この時、鍋９が長年の使用で底が丸くなった重い鍋や大きな鍋であった場合でも、鍋９は内曲部２６に必ず接触することになるため、荷重の大半は、最も強固な構成である内曲部２６と枠体３にかかることになり、五徳全体の変形を防止することができる。さらに、五徳２１を洗浄する際には、内曲部２６から外方に突出させた端部２５に向かって一方向にスポンジタワシを移動させればよく、同時に線材で構成したことにより、スムーズに洗浄が行える。
【００２４】
したがって、多様な鍋などを安定的に載置でき、燃焼状態を良好に保って高い熱効率を確保し、かつ美観に優れた洗浄性の良好な五徳２１が実現できる。
【００２５】
（実施例３）
本発明の実施例３について、図５、図６を参照して説明する。図５は、本実施例の五徳の上面図、図６は、同五徳のＣ−Ｃ断面図である。
【００２６】
図において、五徳３１は実施例１と同様に、線径５〜６ｍｍ程度の６本の軟鋼線材を曲げ加工した６本の線材構成体３２に、下方から支持する枠体３を溶接した構成である。各線材構成体３２は、バーナ４の中心を基点として外方に突出させかつ下方に曲げて略横Ｕ字状に構成した外曲部３５と、内方に突出させかつ下方に曲げて略横Ｕ字状に構成した内曲部３６と、外曲部３５と内曲部３６を連結する上下の連結部３７とで長円形状の閉ループを構成したもので、下側の連結部３７の下部近傍３８を枠体３の上面部に溶接したことにより、外曲部３５の上部、連結部３７および内曲部３６の上部は側方から見て略平面を形成しており、ここで鍋９を載置する部分を構成している。また６本の線材構成体３２の位置関係は、実施例１と同様に五徳３１を上面から見た場合、バーナ４の中心を基点として、円周をほぼ均一に６分割するように放射状に伸びる延長線１０に沿って配置している。
【００２７】
なお、実施例１と同一符号のものは同一構造を有し、説明は省略する。
【００２８】
次に、動作、作用について説明すると、実施例１と同様に鍋９を五徳３１に載置する場合、鍋９は線材構成体３２の内曲部３６、上側の連結部３７および外曲部３５に載置されることになり、線材構成体３２と鍋９との間には、上下の連結部３７の上下間隔に相当する排気通路３９が構成される。したがって、実施例１と同様に、燃焼ガスの熱が効率良く鍋９に伝達され、結果として熱効率を向上することができる。この時、線材構成体３２は長円形状の閉ループを構成しているので、鍋９がいかなる形状であっても、また大きな鍋や重い鍋であっても、荷重を強固に支えることができ、五徳全体の変形を防止することができる。さらに、五徳３１を洗浄する際には、内曲部３６から外曲部３５にかけてスポンジタワシを往復運動させても、スポンジタワシの破損が少なく、同時に線材で構成したことにより、スムーズに洗浄が行える。
【００２９】
したがって、多様な鍋などを安定的に載置でき、燃焼状態を良好に保って高い熱効率を確保し、かつ美観に優れた洗浄性の良好な五徳３１が実現できる。
【００３０】
（実施例４）
本発明の実施例４について図６、図７を参照して説明する。図６は、実施例３の五徳３１を用いた調理器の上面図、図７は、同調理器のＤ−Ｄ断面図である。
【００３１】
図において、調理器４１本体は、耐熱ガラス板からなる天板４２の天板開口部４３の下方に、上部を約６０°程度上向きに傾斜させた傾斜面４４に、スリット幅約０．５５〜０．６５ｍｍで上下方向に開口するスリット状の炎口４５を内方に向かって配設した環状のバーナ４６を設けたもので、天板開口部４３の周囲は耐熱ガラス板の開口端面を保護するための保護枠４７が装着され、バーナ４６と保護枠４７の間には、二次空気をバーナ４６上に流入させるためのエアガイド４８が装着されている。また、スリット状の炎口４５は、長スリット炎口群４９の間に短スリット炎口５０を交互に配置した構成である。
【００３２】
一方、調理器４１本体と五徳３１の位置関係は、枠体３が保護枠４７のフランジ部に落し込まれた形で天板開口部４３に設置され、枠体３の上面と保護枠４７の外周面とはほぼ面位置を形成している。
【００３３】
なお、実施例３と同一符号のものは同一構造を有し、説明は省略する。
【００３４】
次に動作、作用について説明すると、何らかの操作で、燃料予混合ガスがバーナ４６内に導入されるが、スリット状の炎口４５はスリット幅０．５５〜０．６５ｍｍ程度の細スリットで構成しているので、高一次空気比でも逆火しにくくなっている。したがって、比較的一次空気比の高い約６０〜７０％の燃料予混合ガスが導入でき、バーナ４６の傾斜面４４のスリット状の炎口４５で、中央に向かって斜め上向きの火炎を形成するが、この火炎の上昇気流によってエアガイド４８とバーナ４６の間に二次空気５１が吸引され、火炎をより中央に寄せることができる。また、バーナ４６の下方からも別の二次空気５２が発生して火炎内に拡散するため、二次空気５１、５２によって燃焼が促進される。また、炎口を縦長のスリット状の炎口４５で構成したことにより、隣り合うスリット状の炎口４５の間に下方からの二次空気５２を効果的に流入させることができる。また、隣合う長スリット炎口群４９の間に短スリット炎口５０を配置した構成により、大燃焼量の場合は、短スリット炎口５０が長スリット炎口群４９で形成される火炎同士の干渉を抑制して火炎を分割して短炎化を実現するとともに、長スリット炎口群４９の間の火移りを良好にできる。このように天板開口部４３の下方に、バーナ４６が設置されているので、火炎は燃焼完結のための燃焼空間を確保でき、完全燃焼しながらＣＯの少ない燃焼ガス５３として一旦中央に集中して上昇し、鍋９の底面に接触したのち、周囲へ放射状に上昇気流となって拡散する。この時、内曲部３６の曲線部分は、一旦中央に集中したのち鍋９の底部近傍で放射状に拡散する燃焼ガス５３の流れに沿うようになるため、内曲部３６が燃焼ガス５３中に突入することが少なくなる。また、連結部３７は、バーナ６６の中央を基点Ｓとして放射状に伸びる延長線５４に沿って線材を伸長させた構成となっているため、連結部３７は燃焼ガス５３の放射状の流れを阻害することが少ない。同時に、線材構成体３２と鍋９との間には、内曲部３６の上下の曲げ寸法に相当する排気通路５５が形成されるため、燃焼ガス５３は鍋９の底面部を効果的に加熱しながらスムーズに周囲に排出され、良好な燃焼状態を維持することができる。また、燃焼ガス５３は、前述のように比較的完全燃焼に近い状態で排出されるため、内曲部３６の曲げ寸法を大きくとる必要がなく、その結果天板４２から五徳３１の線材構成体３２の上面までの距離は短くできて、高い熱効率を確保することができる。したがって、燃焼状態を良好に保って高い熱効率を確保し、フラットで手入れしやすく、美観にも優れた調理器４１を実現することができる。
【００３５】
（実施例５）
本発明の実施例５について、図９、図１０を参照して説明する。図９は、実施例３の五徳３１を用いた調理器の上面図、図１０は、同調理器のＥ−Ｅ断面図である。
【００３６】
図において、調理器６１本体は、耐熱ガラス板からなる天板６２の天板開口部６３に保護枠６４を装着し、天板開口部６３に外方に向かって複数の炎口６５を配設したバーナ６６を設けたもので、炎口６５は円周を６分割した状態で主炎口部６７、小炎口部６８を交互に設けた構成である。
【００３７】
一方、調理器６１本体と五徳３１の位置関係は、枠体３が保護枠６４のフランジ部に落し込まれた形で天板開口部６３に設置され、枠体３の上面と保護枠６４の外周面とはほぼ面位置を形成している。また、五徳３１の連結部３７は、バーナ６６の中央を基点Ｓとして、小炎口部６８に対応させた位置で、放射状に伸びる延長線６９に沿って線材を伸長させた構成となっている。
【００３８】
なお、実施例１と同一符号のものは同一構造を有し、説明は省略する。
【００３９】
次に動作、作用について説明すると、バーナ６６の炎口６５で火炎７０が形成されると、主炎口部６７と小炎口部６８とに対応した火炎分布が形成される。この時、五徳３１の内曲部３６、連結部３７、外曲部３５はバーナ６６の中央の基点Ｓから小炎口部６８を通過する延長線６９上に沿って配設されているため、火炎７０と接触する割合が極めて少ないため赤熱したり、バーナ６６からの燃焼ガスの流れをほとんど阻害しない。また、上下の連結部の上下に相当する排気通路７１から、燃焼ガスをスムーズに排出することができるため、良好な燃焼状態を維持でき、燃焼ガスと鍋９との熱交換を良好にして高い熱効率を確保することができる。したがって、五徳３１の耐久性を維持し、燃焼状態を良好に保って高い熱効率を確保し、手入れしやすく美観にも優れた調理器６１を実現することができる。
【００４０】
【発明の効果】
以上のように、本発明によれば、燃焼ガスの流れをスムーズに保って良好な燃焼を維持し、同時に鍋などを安定的に載置でき、かつ美観に優れた五徳を可能にし、それを用いて手入れ性と高い熱効率も確保できる調理器を実現できる。
【図面の簡単な説明】
【図１】本発明の実施例１の五徳の上面図
【図２】本発明の実施例１の五徳のＡ−Ａ断面図
【図３】本発明の実施例２の五徳の上面図
【図４】本発明の実施例２の五徳のＢ−Ｂ断面図
【図５】本発明の実施例３の五徳の上面図
【図６】本発明の実施例３の五徳のＣ−Ｃ断面図
【図７】本発明の実施例４の調理器の上面図
【図８】本発明の実施例４の調理器のＤ−Ｄ断面図
【図９】本発明の実施例５の調理器の上面図
【図１０】本発明の実施例５の調理器のＥ−Ｅ断面図
【図１１】（ａ）従来の五徳を用いた調理器の上面図
（ｂ）同五徳の線材の断面拡大図
【図１２】同従来の五徳を用いた調理器のＦ−Ｆ断面図
【符号の説明】
１、２１、３１  五徳
２、２２、３２  線材構成体
３  枠体
４、４６、６６  バーナ
５、３５  外曲部
６  内方に突出させた端部
７、２７、３７  連結部
８  外曲部の下部近傍
１０、５４、６９  延長線
２５  外方に突出させた端部
２６、３９  内曲部
２８  内曲部の下部近傍
３８  連結部の下部近傍
４１、６１  調理器
４２、６２  天板
４３、６３  天板開口部
４５、６５  炎口
【図１】
2004183996.tif 000003
【図２】
2004183996.tif 000004
【図３】
2004183996.tif 000005
【図４】
2004183996.tif 000006
【図５】
2004183996.tif 000007
【図６】
2004183996.tif 000008
【図７】
2004183996.tif 000009
【図８】
2004183996.tif 000010
【図９】
2004183996.tif 000011
【図１０】
2004183996.tif 000012
【図１１】
2004183996.tif 000013
【図１２】
2004183996.tif 000014